(57)【特許請求の範囲】
【請求項１】
パケット交換ネットワークにおいてパケットを送信できる送信デバイスであって：
・同期信号から画像ティックを抽出する手段と；
・前記画像ティックにおいて、ランプに従って進行する画像カウンタを初期化する手段と；
・前記画像カウンタの「m」回の0通過毎にカウンタを初期化する手段であって、ここで、前記カウンタは前記画像カウンタによって生成されるクロックによってタイミング付けされ、レンジMをもつ計数ランプを生成するものである、手段と、
・Tech期間毎に計数ランプをサンプリングする手段であって、ここでTechは前記ネットワークを通じて接続されているすべてのデバイス上で同期されている時間ベースからのものである、手段と、
・前記ネットワークを通じて、計数ランプのサンプルを含むパケットを送信する手段とを有しており、
当該送信デバイスはまた、前記サンプルを含む送信されるパケット中に：
・前記サンプルが実現された計数ランプを同定するインデックス（Num）と、
・0からM−1までの間に含まれる参照値を計数ランプが通過するタイムスタンプを示す時間ラベルとを挿入する手段をも有することを特徴とする、
送信デバイス。
【請求項２】
請求項１記載の送信デバイスであって、前記インデックスはゼロに初期化され、前記計数ランプの前記参照値の通過毎にインクリメントされ、前記時間ラベルの値は、前記計数ランプが初めて前記参照値に達するタイムスタンプから決定されることを特徴とする、請求項１記載の送信デバイス。
【請求項３】
前記時間ラベルの値が、前記計数ランプが前記参照値を通過する毎のタイムスタンプから決定され、前記インデックスが定数値をもつことを特徴とする、請求項１記載の送信デバイス。
【請求項４】
前記時間ラベルが少なくとも一つの表現様式に従って表されることを特徴とする、請求項１ないし３のうちいずれか一項記載の送信デバイス。
【請求項５】
前記時間ラベルの表現様式がUTC様式であることを特徴とする、請求項４記載の送信デバイス。
【請求項６】
送信されるパケットを同定するインデックス（Numpack）を、該送信されるパケットに挿入する手段をも有することを特徴とする、請求項１ないし５のうちのいずれか一項記載の送信デバイス。
【請求項７】
前記インデックスNumpackがKビットに等しい長さをもつレジスタに記憶され、前記サンプルが、前記時間ベースの値のTechによるユークリッド除算の余りがゼロに等しくなるたびに実行され、前記インデックス（Numpack）の値が前記時間ベースの値の2Kによるユークリッド除算の余りに等しいとして決定されることを特徴とする、請求項６記載の送信デバイス。
【請求項８】
インデックス（Num）および時間ラベルを含む送信されるパケットに、前記参照値が挿入されることを特徴とする、請求項１ないし７のうちいずれか一項記載の送信デバイス。
【請求項９】
パケット交換ネットワークからパケットを受信できる受信デバイスであって：
・前記ネットワークからパケットを受信する手段であって、前記パケットはサンプルを含み、前記サンプルは期間Tech毎にサンプリングされたデータに由来し、ここでTechは前記ネットワークを通じて接続されたすべてのデバイス上で同期された時間ベースからのものである、手段と、
・前記サンプルを受け取る位相ロックループを使って、ランプに従って進行する計数ランプを再生成し、またTech期間毎にローカルなサンプルおよび再構築されたクロックを与える手段と、
・計数ランプのゼロ交差毎に、画像カウンタを初期化する手段であって、該画像カウンタは初期化から次の初期化までの間は自由に進行し、該画像カウンタのリズムは前記再構築されたクロックによって決定される、手段と、
・前記画像カウンタのゼロ交差毎に画像ティックを生成する手段と、
・前記画像ティックから同期信号を再構築する手段とを有しており、
当該受信デバイスはまた：
・最後のパケット受信以降に通過した計数ランプの数を計数する手段と、
・受信されたパケットからインデックス（Num）および時間ラベルを抽出する手段と、
・前記インデックス、前記時間ラベルおよび前記ローカル・サンプルの値から現在のタイムスタンプについての情報を決定する手段とを有することを特徴とする、
受信デバイス。
【請求項１０】
計数ランプの数を計数する前記手段が、受信されたパケットを識別するインデックス（Numpack）を使うことを特徴とする、請求項９記載の受信デバイス。
【発明の詳細な説明】
【技術分野】
【０００１】
本発明は、ビデオ装置の領域に関する。
【０００２】
本発明はより詳細には、たとえばIP（インターネット・プロトコル）型のパケット交換ネットワークを介して接続された装置同期システム（equipment  synchronisation  system）に関連する時間ラベル付け（time  labelling）のためのデバイスに関する。ネットワークが有線（たとえばイーサネット（登録商標）（IEEE802.3））か無線（たとえばIEEE802.16D-2004）かは問わない。
【背景技術】
【０００３】
IPネットワークがあらゆる型の信号（データまたはビデオ）を転送する能力の進歩により、そうしたネットワークをビデオ・スタジオのための「バックボーン」アーキテクチャとして使うことが可能になった。したがって、この変化にとって決定的な重要性をもつのは、データ転送のための単一のインフラストラクチャーをもつことである。過去には、装置間で異なる信号型を転送するためにはいくつかの媒体が必要であったのに対し、IP層によって提供される多重化属性は、異なる装置をつなぐIPネットワークに必要な媒体の数の削減を可能にする。
【０００４】
従来技術においては、スタジオにおけるビデオ装置（カメラなど）の同期は、一般に「ジェンロック（Genlock）」または「ブラック・バースト（Black  burst）」と呼ばれる同期信号の伝送によって実行されている。たとえば、ジェンロック信号は二つの同期信号を含む。一つは40ms毎に繰り返され、ビデオ・フレームの開始を示し、他方は64μs毎に繰り返され（標準フォーマットの場合、HDフォーマットについてはより短い）、ビデオ・フレームにおけるラインの開始を示す。同期信号の波形は、ネットワーク上で伝送される画像のフォーマットによる。たとえば、高精細度（high  definition）画像については、同期信号は三レベルの形（−300mV、0V、＋300mV）をもつ。
【０００５】
同期信号が、専用の同軸ケーブルによって同期されるべき異なる装置にルーティングされるとき、ジッタのない一定の伝送時間が保証される。そのような信号から、すべての装置は、その機能に固有のタイミング・クロックを再構成でき、これがその機能が同じネットワークに接続されている全装置と厳格に同相であることを保証する。たとえば、専用の同軸ケーブル上を循環するジェンロック信号によって同期される二つのカメラはそれぞれ異なる内容をもつビデオを生成するが、周波数および位相において互いに厳格に揃っている。
【０００６】
IP／イーサネット（登録商標）ネットワークが呈する既知の欠点は、信号の伝送において、特に同期信号の伝送について、強いジッタを導入するということである。そのような信号が同期のためにIP／イーサネット（登録商標）接続によって異なる装置にルーティングされると、このジッタのために、同期信号が担持する情報が装置に到達するのにかかる時間の長さにゆらぎが生じる。
【０００７】
従来技術では、IPネットワークに接続された一組のデバイス、たとえばカメラについて、各カメラのレベルで各カメラに固有のタイミング・クロックを再構成して各カメラがジッタを克服できるようにするデバイスが知られている。そうしたデバイスの根底にある原理は、受信のレベルにおける同期信号ジッタ振幅の高度な減衰に基づいている。そのようにして、あるカメラによって生成される画像は、同じネットワークに接続された近隣のカメラによって生成される画像のすべてと厳格に同相（in  phase）になることが保証できる。
【０００８】
ジッタ減衰のためのそのようなビデオ同期の例は、国際PCT出願FR2007/050918に記載されている。これは、非常に正確な参照クロック信号を表すプログラム・クロック参照（PCR:  program  clock  reference）信号に基づいて作用する。これらのデジタル信号はネットワークを通じてカメラに送られ、それによりそれらのカメラは参照クロックと同相のクロック信号をローカルに再構成できる。ネットワークで転送されるデジタル信号の生成およびクロック信号の再構成は、送信デバイスと受信デバイスに共通のサンプリング・クロックCLKechに従って諸日時において（at  dates）実現される。具体的には、このクロックCLKechは、送信デバイスとすべての受信デバイスについて完璧に同一でなければならない。
【０００９】
いくつかの装置を接続するネットワークでは、タイミング情報に従って装置レベルでイベントを位置付ける、見出す、配列するまたは処理するよう、タイミング情報を送信することが有益である。この機能は「時間ラベル付け（time  labelling）」として知られている。前記出願によれば、要求されるタイミング情報の精度は可変であるが、すべての場合において、異なる装置が同期されることが必要である。したがって、「時間ラベル付け」は装置同期についてくるもの（complimentary）である。
【００１０】
この時間ラベル付け機能を実現する第一の解決策は、このサービスの基礎を提供する既存のIEEE1588型のネットワーク層を使うことにある。よって、各装置は、秒レジスタとナノ秒レジスタの形に分解されるタイミング情報を含む二つのレジスタを有する。タイミング情報はあらかじめ定義された起点時点から初期化される。この時点は一般に元期（EPOCH）と呼ばれる。IEEE1588規格については、元期は1970年1月1日0時0分0秒に固定されている。
【００１１】
この解決策の不便な点は、ビデオ同期クロックがIEEE1588層のクロックに依存するようになるということである。実際、さらにマルチサービス環境であることもできる1588環境では、クロックの特性はビデオに要求される特性、たとえば27MHz±30ppmと一致しない。IEEE1588層に基づくことができ、それでいて同時に分離〔デカップル〕される同期を保証することが好ましいことは確かである。
【００１２】
国際PCT出願FR2007/050918に記載されるビデオ同期デバイスは、所望のレベルの精度で装置が同期されることを可能にするが、所望される時間ラベル付け機能を可能にするものではない：生成される計数ランプ（counting  ramp）の継続時間は81秒に等しい。計数ランプ・サンプルの伝送は、ランプ継続時間上でのみの現在のタイムスタンプが精確に知られることを可能にするが、これは限定的である。単一のサンプルの転送は、ある時点で曖昧さなしにタイムスタンプが決定されることを可能にはしない。
【発明の概要】
【発明が解決しようとする課題】
【００１３】
本発明の目的の一つは、ネットワークによって接続される装置を同期させるはたらきをする既知のデバイスに時間ラベル付けサービスを付随させることである。
【課題を解決するための手段】
【００１４】
本発明が克服することを提案する技術的課題は、国際PCT出願FR2007/050918に記載されるビデオ同期デバイスを適応させて、同じネットワークに接続されている受信器デバイスが現在のタイムスタンプを決定することを許す情報を送達する送信デバイスとの間で時間ラベル付けサービスを保証できるようにすることである。
【００１５】
この目的のために、本発明は、第一の側面によれば、パケット交換ネットワークにおいてパケットを送信できる送信デバイスであって：
・同期信号から画像ティック（ticks）を抽出する手段と；
・前記画像ティックから画像カウンタを初期化する手段と；
・前記画像カウンタの「m」回の0通過毎にカウンタCPT_PCRを初期化する手段であって、ここで、カウンタCPT_PCRは前記画像カウンタによって生成されるクロックによってタイミング付けされ、レンジMをもつ計数ランプCSE_PCRを生成するものである、手段と、
・Tech期間毎に計数ランプCSE_PCRをサンプリングする手段であって、ここでTechは前記ネットワークを通じて接続されているすべてのデバイス上で同期されている時間ベースからのものである、手段と、
・前記ネットワークを通じてパケットを送信する手段であって、前記パケットは計数ランプCSE_PCRのサンプルPCReを含む、手段とを有する、
送信デバイスに関する。
【００１６】
本発明によれば、前記PCReサンプルを含む送信されるパケット中に次のものを挿入する手段をも有する。
・前記PCReサンプルがそこから実現される計数ランプCSE_PCRを同定するインデックスNum、
・計数ランプCSE_PCRの参照値PCR_REF通過のタイムスタンプを示す時間ラベルDate_Init、ここで、参照値PCR_REFは0からM−1までの間に含まれる。
【００１７】
本発明は、第二の側面によれば、受信デバイスであって：
・前記ネットワークからパケットを受信する手段であって、前記パケットはサンプルPCRrを含み、前記サンプルPCRrは期間Tech毎にサンプリングされたデータに由来し、ここでTechは前記ネットワークを通じて接続されたすべてのデバイス上で同期された時間ベースからのものである、手段と、
・前記サンプルPCRrを受け取る位相ロックループPLL1を使って計数ランプCSR_PCR1を再生成し、またTech期間毎にローカルなサンプルPCR_loc1および再構築されたクロックCLK_out1を与える手段と、
・計数ランプCSR_PCR1のゼロ交差毎に、画像カウンタCPTを初期化する手段であって、該画像カウンタのリズムは再構築されたクロックCLK_out1によって決定される、手段と、
・前記画像カウンタCPTのゼロ交差毎に画像ティックを生成する手段と、
・前記画像ティックから同期信号を再構築する手段とを有する、
受信デバイスに関する。
【００１８】
本発明によれば：
・最後のパケット受信以降に通過した計数ランプDSR_PCRの数を計数する手段と、
・受信されたパケットからインデックスNumおよび時間ラベルDate_Initを抽出する手段と、
・インデックスNum、時間ラベルDate_Initおよびローカル・サンプルPCR_loc1の値から現在のタイムスタンプについての情報を決定する手段をも有する。
【発明の効果】
【００１９】
本発明の第一の利点は、新たな機能を実現するために既知の装置同期装置に基づいているということである。本発明の発展は、発展プロセスが軽減されたという点で簡単にされた。
【００２０】
本発明の第二の利点は、Numインデックスおよび時間ラベルDate_Initが送信される各パケットに必ずしも加えられないので、ネットワーク上のデータ・トラフィックを有意に増すことを要求することなく時間ラベル付け機能が実現されることを可能にするということである。
【００２１】
本発明は、付属の図面を参照することによって例として与えられる本発明の実施形態の以下の記述からよりよく理解されるであろう。
【図面の簡単な説明】
【００２２】
【図１】IP/イーサネット（登録商標）ネットワークを介してリンクされた二つのカメラの間のジェンロック情報の伝送を示す図である。
【図２】アナログ領域とIP/イーサネット（登録商標）との間のインターフェースを示す図である。
【図３】従来技術に基づく、受信側でのジェンロック信号の再生成を示す図である。
【図４】従来技術に基づく受信デバイスの位相ロックループ・アーキテクチャを図的に示す図である。
【図５】ａおよびｂはそれぞれ、本発明に基づく送信デバイスの動作モードを示している。
【図６】第二の動作モードに基づいて動作する本発明に基づく、送信デバイスによって送信されたパケット中に挿入されている情報から、受信デバイスによって現在のタイムスタンプが決定される仕方を示す図である。
【図７】本発明に基づく送信デバイスによって送信されるNumインデックスおよび時間ラベルDate_Initを含むパケット構造の例を示す図である。
【発明を実施するための形態】
【００２３】
図１に示されるように、送信側で現在のアナログ領域がIP/イーサネット（登録商標）ネットワークとインターフェースをもたされ、受信側でIP/イーサネット（登録商標）ネットワークがアナログ領域とインターフェースをもたされる。
【００２４】
同図において、送信側はIP／アナログ・インターフェースI_AIPに接続されている「ジェンロック・マスター」MGEを有する。ジェンロック・マスターMGEはジェンロック信号SG0をインターフェースI_AIPに送る。
【００２５】
受信側は、それぞれIP／アナログ・インターフェースI_IPAに接続されている二つのカメラ（CAM1、CAM2）によって構成される。最終的にはカメラ自体に含められるであろうインターフェースI_IPAは、CAM1、CAM2のためのジェンロック信号SG1、SG2を再構成することを受け持つ。カメラCAM1、CAM2はそれぞれ、完璧に同期されることが要求されるビデオ信号SV1、SV2を生成する。
【００２６】
送信側および受信側は、パケット交換ネットワークによって互いにリンクされる。このネットワークがジェンロック信号SG0に起こるジッタの源である。
【００２７】
Tech周期でのサンプリング・ティックは、第一の同期層、たとえばIEEE1588から生成され、送信側および受信側に送られる。実際、IEEE1588に基づくPTPプロトコル（Precision  Time  Protocol［精密時間プロトコル］）は、マイクロ秒のオーダーで、イーサネット（登録商標）ネットワーク上の接続された装置の間で同期が得られることを可能にする。換言すれば、全装置の時間ベースはすべて、マイクロ秒のオーダーに近い精度で同時に進行する。これらの各時間ベースは、この場合、Tech周期で自らのサンプリング・ティックを生成するために使用できる。IEEE1588層の使用は要求されるルートではない。Tech周期でネットワーク上のさまざまな装置にサンプリング・ティックを提供できるいかなるシステムも好適でありうる。たとえば、無線伝送物理層からの5msのサンプリング・ティックを使うことができる。
【００２８】
図２は、インターフェースI_AIP内でのMGEからのジェンロック信号SG0の処理の詳細を示している。
【００２９】
まず、モジュールEXSが、ビデオ・タイミング・クロック（図２ではClkと記される）を復元するために、信号SG0から同期情報を抽出する。より具体的には、モジュールEXSが各画像の最初における画像ティックティックの生成を受け持つ。さらに、モジュールEXSは、画像カウンタ、たとえば40msカウンタを有する。これは図２には示していない。この画像カウンタの出力は、各画像期間においてゼロと交差する計数ランプに従って、すなわち前述の例で述べた画像カウンタの場合には40ms毎に、進行する。
【００３０】
「計数ランプ」とは、階段ステップ信号を表す。ステップは単位高さ（または計数きざみΔC）をもつ。計数ランプ・レンジとは、計数ランプの最高ステップと最低ステップとの間のレベル差に適用される用語である。
【００３１】
画像カウンタによって与えられる計数ランプのレンジは、40ms・Foutに等しい。ここで、FoutはクロックCLKビデオの周波数である。画像カウンタは、0から40ms・Fout−1までの整数値すべてを逐次、与える。
【００３２】
ビデオ・クロックは、カウンタCPT_PCRを律動的に動かす（cadence）のに使われる。カウンタCPT_PCRの出力は第二の計数ランプであり、その周期はm画像期間に等しい。「m」画像毎に、カウンタCPT_PCRはリセットされる、つまり、第二の計数ランプCSE_PCRは0にセットされる。
【００３３】
画像カウンタによって与えられる計数ランプ・レンジは40ms・Foutに等しい。カウンタCPT_PCRは、0から40ms・Fout−1までの整数値すべてを逐次、与える。
【００３４】
次に、モジュールLCHは、Tech期間毎に計数ランプCSE_PCRをサンプリングして、サンプルPCReを生成する。それらのサンプルPCReがネットワークを通じて送られ、ネットワーク・インターフェース（ブロックINTE）を通じて受信側に進む。
【００３５】
図３は、従来技術に基づく受信側を示している。インターフェースI_IPAはネットワーク上で送られたPCRサンプルを復元する。これらのサンプルPCReはネットワーク・インターフェース（モジュールINTR）によって、送信デバイスと受信デバイスとの間の転送にリンクした遅延をもって受信される。モジュールINTRはサンプルPCRrを生成する。送信側で規則的なTech間隔で生成されるサンプルPCReは、受信側に不規則な間隔で到着する。これは、主として、ネットワーク上での転送の際に導入されるジッタのためである。サンプルPCRrは規則的なTech間隔で考慮に入れられ、よって、パケット転送の際に導入されたジッタの大半は解消される。
【００３６】
送信および受信のサンプリング時間の間の不正確さは、位相ロックループPLL1によって吸収される。該位相ロックループの帯域幅は適応されている（appropriated）。位相ロックループPLL1の特性は、軽減されたジッタをもつ再構築されたクロック生成CLK_out1を保証する。
【００３７】
位相ロックループPLL1は、PCRrサンプルを受け取り、
・再構築されたクロックCLK_out1、
・計数ランプCSR_PCR1および、
・ローカルなサンプルPCR_loc1
を与えるシステムとして機能する。
【００３８】
位相ロックループPLL1が定常状態で動作するとき、サンプルPCRrはサンプルPCR_loc1に等しいことが注目される。
【００３９】
再構築されたクロックCLK_out1は、送信側での画像カウンタと同様のCPT画像カウンタ、たとえば40msカウンタを律動的に動かす。画像カウンタCPTは、計数ランプCSR_PCR1が0をまたぐたびにリセットされる。リセットから次のリセットまでの間は、画像カウンタCPTは自由に進行し、画像ティックを生成する。該画像ティックは、ローカルなジェンロック生成器GEGが、カメラCAM1、CAM2を同期させるよう設計された再構築されたジェンロック信号SG1、SG2を生成することを許容する。
【００４０】
計数ランプCSR_PCR1および再構築されたクロックCLK_out1から生成される再構築されたジェンロック信号SG1、SG2は、直近のクロック・ティックまで、送信側のジェンロック信号SG0と同相である。
【００４１】
図４は、従来技術に基づくI_IPAインターフェースにおいて使用されるPLL1位相ロックループ・アーキテクチャを図的に示している。
【００４２】
図４に示されるように、位相ロックループPLL1は：
・サンプルPCRrとローカルなサンプルとを比較してサンプルの比較結果またはエラー信号ERRを与えるサンプル比較器CMP1、
・エラー信号ERRを受け取って訂正されたエラー信号ERCを与える訂正期COR1、
・訂正されたエラー信号ERCを受け取って再構築されたクロックCLK_out1を与える構成設定可能な発振器VCO1、ここで、クロックCLK_out1は信号ERCに依存する周波数Foutをもつ、
・再構築されたクロックCLK_out1によってプリントされるレートに従って計数ランプCSR_PCR1を生成するカウンタCPT_PCR1、
・諸時刻Techに計数ランプCSR_PCR1の値からローカルなサンプルPCR_loc1を生成する値LATCH1をもつサポート・システム、
を有する。
【００４３】
図５のａおよびｂは、本発明に基づく送信デバイスの二つの動作モードを示している。これら二つの図は、いずれも、EXSモジュールによって生成された計数ランプCSE_PCRの時間的な進行を示している。
【００４４】
先に説明したように、計数ランプCSE_PCRの形は鋸歯の形であり、基本計数ランプの途切れのない連続を含み、それから構成される。これはつまり、あるサンプル値PCReの送信は、それ自身としては、曖昧さのない仕方でタイムスタンプを同定するには十分でないということである。
【００４５】
サンプル値PCReに加えて、それからサンプルPCReが実現された計数ランプまたは歯の一つを一意的な仕方で同定することを許容する情報が送信される場合には、そうでなくなる。基本計数ランプの時間的な進行が、corがタイムスタンプtに応じてPCR値を与える時間変換係数であるとしてCSE_PCR(t)＝cor・tであることを考えれば、サンプル値PCReを知っていれば、表式PCRe/corによってタイムスタンプtの値を簡単に計算できる。
【００４６】
この情報は、対(Date_init,Num)の形を取ることができる。ここで、Date_Initは、0からM−1までの間に含まれる参照値PCR_REFを計数ランプCSE_PCRが通過するタイムスタンプを示す時間ラベルであり、Numは所与の日時Date_Init後の計数ランプの数を同定するインデックスである。
【００４７】
図５のａは、送信されるパケットに対(Date_Init,Num)を挿入する本発明に基づく送信デバイスの第一の動作モードを示す。ここでは：
・時間ラベルDate_Initの値がCSE_PCR計数ランプが初めて参照値PCR_REFに到達したタイムスタンプから決定され、Date_Initの値は一定であり、
・Numインデックスはリセットされ、すなわちゼロに設定され、CSE_PCR計数ランプが参照値PCR_REFを通過するたびにインクリメントされる。
【００４８】
図５のｂは、本発明に基づく送信デバイスの第二の動作モードを示す。
・時間ラベルDate_Initの値がCSE_PCR計数ランプが参照値PCR_REFを通過するたびのタイムスタンプから決定され、
・Numインデックスは一定値である。
【００４９】
以下では、Numの値はヌルであると考える。
【００５０】
第二の動作モードが好ましい動作モードである。時間ラベルDate_Initを生成するクロックとビデオ・クロックとの間のドリフトが克服できるからである。
【００５１】
図６は、その上段は図５のｂと似ており、下段はパケットにおいてサンプルPCRe、インデックスNumおよび時間ラベルDate_Initを受信する受信デバイス上で生成される計数ランプCSR_PCR1の時間的な進行を示している。
【００５２】
連続的なレートで、計数ランプCSE_PCRとCSR_PCR1は完全に同相である。NumおよびDate_Initの値はローカルなサンプル値PCR_loc1に関連付けられる。それらさまざまな値は、下記の表式によって、PCR_Loc1が実現される日時をマークする現在のタイムスタンプtcのオンデマンドでの決定を可能にする：
tc＝Date_Init＋Num・TCSE_PCR＋(PCR_loc1−PCR_REF)/cor
ここで、TCSE_PCRは計数ランプCSE_PCRの周期の値である。
【００５３】
図６に示される例では、現在のタイムスタンプは、タイムスタンプt101＋Δtで要求される。ここで、Δtは先験的には知られていない。
【００５４】
tcは、本発明に基づく各受信デバイスがPCR_REFの値を知っているという条件で、決定できる。
【００５５】
しかしながら、NumおよびDate_Initの値を知っていても現在のタイムスタンプtcを決定するには十分でないという状況がある。
【００５６】
たとえば、図６に示される例を考える。ここでは、サンプルPCReは、パケットにおいて、Num＝0およびDate_Init＝t103と同時に送信される。この例では、現在のタイムスタンプ（t103＋Δt）を確立することが要求された時点のタイムスタンプ、受信側での考えられているローカルなサンプルは、PCReが実現された計数ランプに対応するものではない「鋸歯」またはむしろ「計数ランプ」上で実現される。したがって、曖昧さがあるが、それは、パケットの最後の受信以降通過した計数ランプまたは歯の数が知られれば除去できる。
【００５７】
特にこの種の問題を克服するために、受信デバイスは、パケットの最後の受信以降に通過した計数ランプの数を決定する手段を有する。この決定は、具体的には、最後のパケット受信以降に相次いで生起した計数ランプを数える（numbering）ことによってできる。
【００５８】
数えるのは、値PCR_REFを計数ランプCSR_PCRが通過する回数を計数することによって実現できる。また、そこから、現在のタイムスタンプが要求されるまたはサンプルPCReが実現される時点を隔てる経過時間を決定することによっても実現できる。
【００５９】
有利には、計数ランプ数を計数する手段は、受信されるパケットに番号を付けるインデックスNumpackを使う。
【００６０】
有利には、送信デバイスは、送信されるパケット中に、送信されるパケットを同定するインデックスNumpackを挿入する手段を有する。
【００６１】
Numpackインデックスは、Kビットに等しい長さをもつレジスタに記憶される。
【００６２】
有利には、PCReサンプルは、時間ベースの値をTechでユークリッド除算した余りがゼロに等しくなるたびに実現され、Numpackインデックスの値は時間ベースの値の2Kによるユークリッド除算の余りに等しいとして決定される。
【００６３】
時間ベースが、1秒に等しい周期TechのIEEE1588カウンタであるこの個別的な場合には、PCReサンプリング時点は、たとえば、IEEE1588カウンタの第二のものにとっての通過のタイムスタンプ、つまりナノ秒カウンタが0を示す時点、のように定義される。Numpack値を得るために、第二のカウンタの値の、パケット計数値の、法（modulo）による除算を計算して現在のパケット番号を得ることが提案される。この番号は、各パケットに送られる各パケットにおいてインクリメントされる。
【００６４】
有利には、パケット番号は送信される各パケットに挿入される。
【００６５】
送信されるパケットの番号を与える情報の送信と、時間ベース値と結び付けて送信のサンプリング時点を定義する方式との組み合わせによって提供される第二の利点は、PCReサンプルが実現された時点に対応するタイムスタンプを非常に簡単に与えるということである。
【００６６】
第三の利点は、各パケットの転送の継続時間の測定の実現にある。
【００６７】
第一の諸利点から帰結する最後の利点は、受信されるパケットのアンダーサンプリングを簡単に実装できるということである。パケット受信のアンダーサンプリングは、たとえば低めの周波数付近でのジッタのよりよいフィルタリングのために、受信機の調整周波数（regulation  frequency）の簡単な低減を可能にする。
【００６８】
本発明に基づく各受信デバイスは、選択された特定の表現様式（たとえばUTC、フレーム番号など）に従って現在のタイムスタンプtcを決定できることが好ましい。
【００６９】
これを行うために、受信デバイスが、選択された表現様式に従って計数ランプの時間的進行を記述する係数値corを有し、同じ表現様式に従ったTCSE_PCRの値を有し、最後に、この同じ表現様式に従ってラベル値Date_Initを抽出できることが必要である。
【００７０】
有利には、時間ラベルDate_Initは、少なくとも一つの表現様式に従って表される。
【００７１】
有利には、時間ラベルの表現様式は「協定世界時（Universal  Time  Coordinated）」（UTC）様式である。
【００７２】
有利には、時間ラベルの表現様式はフレーム番号に対応する。
【００７３】
好ましくは、参照値PCR_REFは0に等しく、修正できない。
【００７４】
有利には、本発明に基づく送信デバイスは、時間ラベルDate_Initを生成するクロックをも有する。
【００７５】
有利には、本発明に基づく送信デバイスは、時間ラベルDate_Initの値を、前記送信デバイス以外の当該ネットワークに接続されたデバイスに装備するクロックから、受け取る。
【００７６】
最後に、図７は、好ましい動作モードに対応する対（Date_Init,Num）を含むパケットの構造の例を示している。このパケットは、32ビットのフィールドを最小で４つ有し、259個まで有することができる。第二のフィールドは、一定であり好ましくは0に等しいインデックス値Numを含む。第三のフィールドは、送信されるパケットを一意的な仕方で同定するインデックスを含む。このインデックスは、新たなパケット毎にインクリメントされ、第二のカウンタの値の、Kパケット計数法（K  packet  count  modulo）によるユークリッド除算からの残りのように、決定される。
【００７７】
第四のフィールドは、第一の表現様式に基づく、計数ランプCSE_PCRが参照値PCR_REFを通過するたびに更新される時間マーカー値Date_Initを含む。
【００７８】
後続の255個のフィールドは任意的であり、異なる潜在的な受信デバイスに適応された表現様式に従ったDate_Init時間ラベル値を保持できる。
【００７９】
有利には、PCR_REF値も、NumインデックスおよびDate_Init時間ラベルと一緒にパケット中に挿入される。
【００８０】
Num、Date_Initおよび可能性としてはPCR_Refを含むパケットがネットワーク上で送信される時間的頻度は、ネットワークに加えられる受信デバイスが時間ラベルを受信しないままでいることが長くなりすぎないように適応される。たとえば、80秒に等しい値TCSE_PCRおよび1秒に等しい期間Techについては、NumおよびDate_Initを含むパケットの送信周期はたとえば10秒に等しい。
【００８１】
本発明は、以上の本文で一例として記載されている。当業者は、特許の範囲を外れることなく本発明の変形を作成できることが理解される。
いくつかの付記を記載しておく。
〔付記１〕
パケット交換ネットワークにおいてパケットを送信できる送信デバイスであって：
・同期信号から画像ティックを抽出する手段と；
・前記画像ティックから画像カウンタを初期化する手段と；
・前記画像カウンタの「m」回の0通過毎にカウンタを初期化する手段であって、ここで、前記カウンタは前記画像カウンタによって生成されるクロックによってタイミング付けされ、レンジMをもつ計数ランプを生成するものである、手段と、
・Tech期間毎に計数ランプをサンプリングする手段であって、ここでTechは前記ネットワークを通じて接続されているすべてのデバイス上で同期されている時間ベースからのものである、手段と、
・前記ネットワークを通じて、計数ランプのサンプルを含むパケットを送信する手段とを有しており、
当該送信デバイスはまた、前記サンプルを含む送信されるパケット中に：
・前記サンプルが実現された計数ランプを同定するインデックス（Num）と、
・0からM−1までの間に含まれる参照値を計数ランプが通過するタイムスタンプを示す時間ラベルとを挿入する手段をも有することを特徴とする、
送信デバイス。
〔付記２〕
付記１記載の送信デバイスであって、前記インデックスはゼロに初期化され、前記計数ランプの前記参照値の通過毎にインクリメントされ、前記時間ラベルの値は、前記計数ランプが初めて前記参照値に達するタイムスタンプから決定されることを特徴とする、付記１記載の送信デバイス。
〔付記３〕
前記時間ラベルの値が、前記計数ランプが前記参照値を通過する毎のタイムスタンプから決定され、前記インデックスが定数値をもつことを特徴とする、付記１記載の送信デバイス。
〔付記４〕
前記時間ラベルが少なくとも一つの表現様式に従って表されることを特徴とする、付記４記載の送信デバイス。
〔付記５〕
前記時間ラベルの表現様式がUTC様式であることを特徴とする、付記５記載の送信デバイス。
〔付記６〕
送信されるパケットを同定するインデックス（Numpack）を、該送信されるパケットに挿入する手段をも有することを特徴とする、付記１ないし５のうちのいずれか一項記載の送信デバイス。
〔付記７〕
前記インデックスNumpackがKビットに等しい長さをもつレジスタに記憶され、前記サンプルが、前記時間ベースの値のTechによるユークリッド除算の余りがゼロに等しくなるたびに実行され、前記インデックス（Numpack）の値が前記時間ベースの値の2Kによるユークリッド除算の余りに等しいとして決定されることを特徴とする、付記６記載の送信デバイス。
〔付記８〕
インデックス（Num）および時間ラベルを含む送信されるパケットに、前記参照値が挿入されることを特徴とする、付記１ないし７のうちいずれか一項記載の送信デバイス。
〔付記９〕
パケット交換ネットワークからパケットを受信できる受信デバイスであって：
・前記ネットワークからパケットを受信する手段であって、前記パケットはサンプルを含み、前記サンプルは期間Tech毎にサンプリングされたデータに由来し、ここでTechは前記ネットワークを通じて接続されたすべてのデバイス上で同期された時間ベースからのものである、手段と、
・前記サンプルを受け取る位相ロックループを使って計数ランプを再生成し、またTech期間毎にローカルなサンプルおよび再構築されたクロックを与える手段と、
・計数ランプのゼロ交差毎に、画像カウンタを初期化する手段であって、該画像カウンタのリズムは前記再構築されたクロックによって決定される、手段と、
・前記画像カウンタのゼロ交差毎に画像ティックを生成する手段と、
・前記画像ティックから同期信号を再構築する手段とを有しており、
当該受信デバイスはまた：
・最後のパケット受信以降に通過した計数ランプの数を計数する手段と、
・受信されたパケットからインデックス（Num）および時間ラベルを抽出する手段と、
・前記インデックス、前記時間ラベルおよび前記ローカル・サンプルの値から現在のタイムスタンプについての情報を決定する手段とを有することを特徴とする、
受信デバイス。
〔付記１０〕
計数ランプの数を計数する前記手段が、受信されたパケットを識別するインデックス（Numpack）を使うことを特徴とする、付記９記載の受信デバイス。
【図１】
0005536035.tif 000002
【図２】
0005536035.tif 000003
【図３】
0005536035.tif 000004
【図４】
0005536035.tif 000005
【図５】
0005536035.tif 000006
【図６】
0005536035.tif 000007
【図７】
0005536035.tif 000008